(57)【特許請求の範囲】
【請求項１】
第１のパネルヒータと、第２のパネルヒータを操作可能なコントローラ本体と、
前記コントローラ本体に設けられた操作面部と、
前記操作面部に設けられ、前記第１のパネルヒータと第２のパネルヒータとの双方を制御対象とする２チャンネルのときと、前記第１のパネルヒータのみを制御対象とする１チャンネルのときとで、操作機能の割付けを変更可能とした操作キー群とを備え、
前記操作機能の割付けは、
前記２チャンネルのときは、前記第１のパネルヒータおよび第２のパネルヒータに対する主操作となる運転操作、温度設定操作、タイマー運転操作が、単一の押操作で実行される第１の操作キーと、前記運転操作、温度設定操作、タイマー運転操作以外の操作が、２以上の押操作で実行される第２の操作キーとからなるように前記操作キー群に対し割付けが行われ、
前記１チャンネルのときは、前記第１のパネルヒータに対する操作が、前記第１の操作キーおよび第２の操作キーを共用した押操作で実行される第３の操作キーとなるように前記操作キー群に対し割付けが行われるものである
ことを特徴とする床暖房用コントローラ装置。
【請求項２】
前記第３の操作キーは、前記操作面部の操作キー群のうち、右寄りに配置されている操作キーに、運転操作、温度設定操作、タイマー運転操作のうち少なくとも１つの操作が割付けられることを特徴とする請求項１に記載の床暖房用コントローラ装置。
【請求項３】
前記操作面部には、前記２チャンネルのときは前記第１，２の操作キーだけを表わす表面シートが設けられるとともに、前記１チャンネルのときは前記第３の操作キーだけを表わす表面シートが設けられることを特徴とする請求項１または請求項２に記載の床暖房用コントローラ装置。
【発明の詳細な説明】
【技術分野】
【０００１】
本発明は、第１のパネルヒータ、第２のパネルヒータを操作する床暖房用コントローラ装置に関する。
【背景技術】
【０００２】
室内の床面を暖める床暖房装置では、１室の床下に発熱体を据付けて、コントローラ装置で制御したり、隣接する２部屋にそれぞれ発熱体を据付けて、これらを１台のコントローラ装置で独立して制御したりすることが行われている。
このように床暖房の形態が異なると、それに対応した専用のコントローラ装置が必要となる。具体的には、１室の発熱体を制御するときは、制御対象が１つの１チャンネル用のコントローラ装置が求められ、２室の発熱体を１台のコントローラ装置で独立して制御するときは、制御対象が２つの２チャンネル用のコントローラ装置が求められる。
【０００３】
こうした１チャンネル用と２チャンネル用を使い分けるためには、従来、１チャンネル用のコントローラ装置、２チャンネル用のコントローラ装置は、それぞれ機能に合わせた操作キー配置を独自に設計して、製造していた。
しかしながら、こうした２種類のコントローラ装置の操作構造は、１チャンネルの操作に適した入力機器を用いたり、それとは異なる２チャンネルの操作に適した入力機器を用いたりしないと対応できないことが多い。そのため、共通化が難しいとされ、コスト的な負担が強いられやすい。
【０００４】
そこで、床暖房用のコントローラ装置では、特許文献１に開示されているようにコントローラ本体の操作面部に、１台分の発熱体の運転を制御する操作系と、発熱体の運転を選択するための切換スイッチとを設けた構造を採用して、切換スイッチの切換動作で、１つの発熱体から複数の発熱体までの運転を１台で行えるようにしたコントローラ装置が提案されている。
【特許文献１】特開平４−２５１１３０号公報
【発明の開示】
【発明が解決しようとする課題】
【０００５】
ところで、床暖房用コントローラ装置においては通常、床暖房運転をオンオフする運転操作や、床温度の設定を変える温度設定操作や、タイマー運転をオンさせるタイマー運転操作は、それ以外の操作に比べ、頻繁に用いられる。
こうした利用頻度の高い操作は、子供から年配の人のだれでもが容易に行えるよう１アクションの操作で行えることが望まれる。
【０００６】
特許文献１のようなコントローラ装置は確かに、１台のコントローラ装置で複数の発熱体を制御できるため、共用化により、製造コストの低減化は図れる。しかし、反面、制御する発熱体を選択するという操作が強いられるために、複数の発熱体を操作するにあたって、その都度、選択操作を行わないと、所望の操作が行えない。このため、利用頻度の高い操作を面倒にしてしまう問題がある。
【０００７】
そこで、本発明の目的は、コストの低減と操作性の向上の両立を図った１チャンネル用の製品と２チャンネル用の製品が得られる床暖房用コントローラ装置を提供することにある。
【課題を解決するための手段】
【０００８】
請求項１に記載の発明は、上記目的を達成するために、コントローラ本体の操作面部に、第１のパネルヒータと第２のパネルヒータとの双方が制御対象の２チャンネルのときと、第１のパネルヒータのみが制御対象の１チャンネルのときとで操作機能の割付けを変更可能とした操作キー群とを設け、操作機能の割付けは、２チャンネルのときは、第１のパネルヒータおよび第２のパネルヒータに対する主操作となる運転操作、温度設定操作、タイマー運転操作が、単一の押操作で実行される第１の操作キーと、運転操作、温度設定操作、タイマー運転操作以外の操作が２以上の押操作で実行される第２の操作キーとからなるように操作キー群に対し割付けが行われ、１チャンネルのときは、第１のパネルヒータに対する操作が、第１の操作キーおよび第２の操作キーを共用した押操作で実行される第３の操作キーとなるように前記操作キー群に対し割付けが行われるようにした。
【０００９】
同構成によると、操作キー群を共通部品として、２チャンネル専用のコントローラ装置と、１チャンネル専用のコントローラ装置とが構成される。しかも、２チャンネル用のコントローラ装置や１チャンネル用のコントローラ装置はいずれも、利用頻度の高い操作が単一の操作キーを押操作するだけの１アクションで行えるので、いずれのコントローラ装置とした場合であっても扱いやすいという利点がある。
【００１０】
請求項２に記載の発明は、さらに１チャンネル用に構成されたコントローラ装置を使いやすくするために、操作面部の操作キー群のうち、右寄りに配置されている操作キーに、運転操作、温度設定操作、タイマー運転操作のうち少なくとも１つの操作、すなわち利用頻度の高い操作を割付け、一般に多い右利きの人に対応させた。
請求項３に記載の発明は、さらに、２チャンネル用や１チャンネル用のコントローラ装置の操作性を高めるよう、操作面部には、２チャンネル用に割付けた第１，２の操作キー、あるいは１チャンネル用に割付けた第３の操作キーだけを操作面部の表面に表わす表面シートを設けた。
【発明の効果】
【００１１】
請求項１の発明によれば、操作キー群を共通部品として、２チャンネル用のコントローラ装置から、１チャンネル用のコントローラ装置を派生させることができる。しかも、２チャンネル用や１チャンネル用のコントローラ装置は、いずれでも利用頻度の高い操作が、単一の操作キーを押操作するだけの１アクションで行える構造なので、１チャンネルでも２チャンネルでも扱いやすい。
【００１２】
それ故、コストの低減を図り、さらには操作性の向上も図った２チャンネル用コントローラ装置と１チャンネル用コントローラ装置を得ることができる。
請求項２の発明によれば、さらに２チャンネル用から派生した１チャンネル用のコントローラ装置が、多くの利用者で使いやすくなる。
請求項３の発明によれば、表面シートにより、それぞれ２チャンネル用に割付けた第１、第２の操作キーや、１チャンネル用に割付けた第３の操作キーの操作機能を利用者に明確に認識させたり、使用しなかった操作キーを隠せたりするので、一層、双方のコントローラ装置の操作性を高めることができる。
【発明を実施するための最良の形態】
【００１３】
以下、本発明を図１〜図３に示す一実施形態にもとづいて説明する。
図１は、例えばリビングルームαと同リビングルームαに隣接するダイニングルームβといった家屋の２ルーム（各ルームをゾーンと称する）をそれぞれ別個に床暖房する２チャンネル式の床暖房装置を示していて、図中２ａ，２ｂは、リビングルームαとダイニングルームβの床下にそれぞれに設置された２つのパネルヒータ（発熱体）、３は、制御対象となる２つのパネルヒータ２ａ，２ｂを１台で操作する２チャンネル用のコントローラ装置を示している。２チャンネル用のコントローラ装置３は、例えば両ルームα、βの境界となる壁部４に設置させて、電源ケーブル９ａやヒータケーブル９ｂと接続させてある。これにより、電源ケーブル９ａからの電力を、コントローラ装置３に内蔵されたパネルヒータ通電部８を介してパネルヒータ２ａまたは２ｂへと供給することで、パネルヒータ２ａまたは２ｂの発熱を行い、各ルームα，βが暖められるようにしている。
【００１４】
図２は、上記とは異なる家屋の１ルーム、例えばダイニングルームβだけを床暖房する１チャンネル式の床暖房装置を示していて、図中２ｂは、ダイニングルームβの床下に設置された１つのパネルヒータ（発熱体）、６は、制御対象となる１つのパネルヒータ２ｂのみを操作する１チャンネル用のコントローラ装置（１台）を示している。１チャンネル用のコントローラ装置６は、例えばダイニングルームβの壁部７に設置させて、電源ケーブル１４ａやヒータケーブル１４ｂと接続させてある。これにより、電源ケーブル９ａからの電力を、コントローラ装置６に内蔵されたパネルヒータ通電部８を介してパネルヒータ２ｂへと供給することで、パネルヒータ２ｂの発熱を行い、ダイニングルームβが暖められるようにしている。
【００１５】
これら２チャンネル用（制御対象が２つ）のコントローラ装置３と、上記１チャンネル用（制御対象が１つ）のコントローラ装置６は、いずれも図３に示されるようにパネルヒータ通電部８を除いた、ほとんどの部分を共通にした構造が用いられている。
図３には、こうした２チャンネル用、１チャンネル用のコントローラ装置３，６の構造が分解斜視図で示されている。
【００１６】
図３を参照してコントローラ装置３，６の構造を説明すると、図３中１０はケーシングである。
ケーシング１０は、例えば、箱形のハウジング部１１（壁部４，７に埋め込まれる部分）と、同ハウジング部１１の壁外側の開口端に形成されたフランジ部１１ａ（壁部３，７の壁面に配置される部分）と、同フランジ部１１ａの外周端と嵌合する表面パネル部１２（フランジ部１１ａと共に、壁部４，７の壁面に配置される部分）とを組み合わせた筐体から構成してある。
【００１７】
このうちハウジング部１１内には、各チャンネル用の通電ボードが収められる。具体的には、２チャンネル用であれば、２系統（リビングルームα、ダイニングルームβ）の電源端子（図示しない）やヒータ端子（図示しない）や通電回路を搭載した通電ボード１３ａが収められる。１チャンネル用であれば、１系統の電源端子（図示しない）やヒータ端子（図示しない）や通電回路を搭載した通電ボード１３ｂが収められ、各チャンネル用のパネルヒータ通電部８を構成する。
【００１８】
そして、表面パネル部１２を含んだ前面側の筐体部分から、２チャンネル用と１チャンネル用とに共通な構造のコントローラ本体１３を構成している。
この共通構造部を説明すると、コントローラ本体１３をなす表面パネル部１２は、前面壁の上側に、表示窓１２ａが形成され、その表示窓１２ａの下側の前面壁部分に平坦な操作面部１７が形成された構造となっている。表面パネル部１２の内側には、例えば、時計機能が付いた制御回路部１８ａと、室温センサー１８ｂと、液晶表示式の表示モジュール部１８ｃと、多数、例えば１０個のキーモジュール部１９ａ〜１９ｊとが搭載された表示ボード２０が収められている。キーモジュール部１９ａ〜１９ｊは、凸形のキーオンオフ部２０ａ〜２０ｊを有していて、これらキーオンオフ部から、各種の操作情報が制御回路部１８ａへ入力される。なお、表示ボード２０は、通電ボード１３ａや通電ボード１３ｂと接続されるものである。さらに述べれば、表示モジュール部１８ｃは、表示ボード２０の上側に配置され、操作キーオンオフ部２０ａ〜２０ｊは、表示モジュール部１８ｃの下側で、横方向に等間隔で５個ずつ直線状に２列に配置させてある。なお、表示ボード２０の前面の全体は、透視部材で形成された保護カバー２２で覆われる構造にしてある。
【００１９】
このうち表示モジュール部１８ｃの前面に形成されている液晶表示部１８ｄは、保護カバー２２を介して、表示パネル部１２の表示窓１２ａに臨み、操作面部１７の上側に、温度設定レベル表示や時刻表示やヒータ通電中の表示やタイマー運転表示などの情報表示を行う表示部２５を形成している。多数の操作キーオンオフ部２０ａ〜２０ｊは、保護カバー２２の前面壁に形成された通孔２２ａを通じて、操作面部１７に形成されている通孔２６ａ〜２６ｊ内に挿通され、操作面部１７上に、床暖房運転の操作に求められる多くの操作キー、すなわち操作キー群Ａを構成する。
【００２０】
この操作キー群Ａは、「２チャンネル」用と「１チャンネル」用とで、操作機能の割付けが変更可能となっている。ここで操作機能の割付けとは、操作キーオンオフ部２０ａ〜２０ｊのうち所定の１つを操作したときにコントローラ装置３，６がいかなる処理を行うかを定義することを指す。この構造には、例えば、当初、制御回路部１８ａに対し、「２チャンネル」で用いられる操作機能の割付けと、「１チャンネル」で用いられる操作機能の割付けといった２種類を設定しておき、さらに表示ボード２０にこれら２種類の操作機能の割付けのうち、いずれを適用するかを選択する選択スイッチ（図示しない）を設けて、選択スイッチの操作により、「２チャンネル」や「１チャンネル」の操作機能の割付けを選択する構造が用いられている。むろん、制御回路部１８ａには、この他、割付けられた操作キーで設定される「２チャンネル」や「１チャンネル」の設定温度（床温度）にしたがい、室温センサー１８ｂで検出される室温に基づき、ヒータパネル２ａ，２ｂ（２チャンネル）やヒータパネル２ｂ（１チャンネル）を制御したり、同制御内容を表示させたりするなどの機能も設定してある。
【００２１】
操作キー群Ａは、この割付け変更構造を用いて、図１に示されるような２チャンネル用の操作機能の割付け、あるいは図２に示されるような１チャンネル用の操作機能の割付けが行われる。
これら操作機能の割付けによって、限られた数量の操作キーオンオフ部２０ａ〜２０ｊを効果的に利用して、使いやすくすることが可能である。
【００２２】
すなわち、図１に示される「２チャンネル」の床暖房運転のときは、リビングルームαの床暖房に必要な操作として、リビングルームαの床暖房運転をオンオフする運転操作や、同じくリビングルームαの床温度を調整する温度設定操作や、同じくタイマー床暖房運転をオンオフするタイマー運転操作がある。ダイニングルームβの床暖房に必要な操作としても、ダイニングルームβの床暖房運転をオンオフする運転操作や、同じくダイニングルームβの床温度を調整する温度設定操作や、同じくタイマー床暖房運転をオンオフするタイマー運転操作がある。この他、リビングルームαやダイニングルームβの床暖房のタイマー時刻設定を行うためのタイマー設定操作や、現在時刻の調整を行うための時計操作などがある。
【００２３】
これら操作のうち、運転操作や温度設定操作やタイマー運転といった主操作は、日常の利用頻度が高く、それ以外のタイマー設定操作や時計操作は、比較的利用頻度が低い傾向にある。
限られた数量の操作キーオンオフ部２０ａ〜２０ｊには、「２チャンネル」の全ての操作機能を割り当てることができない。そのため、そのうちの利用頻度の高い主操作を、１キーの押操作で実行する操作キーとして定義し、その他の利用頻度の低い操作を、２以上の操作キーを併用した操作で実行するように定義する操作機能の割付けが用いてある。
【００２４】
続いて、具体的な操作機能の割付けの例を示す。
図３に示されるように「２チャンネル」のときは、操作キー群Ａのうち、最も左側に配置される上下２個の操作キーオンオフ部２０ａ、２０ｂと、最も右側に配置される上下２個の操作キーオンオフ部２０ｉ，２０ｊを操作することにより、それぞれ２つのゾーン（リビングルームα／ダイニングルームβ）における床温度調整のための温度設定操作が行われるように定義する（本願の第１の操作キーに相当）。これらの操作キーオンオフ部は、コントローラ装置を組立てた状態では温度設定操作キー３０，４０にそれぞれ対応する。同様に、それら操作キーオンオフ部に対して内側かつ下側に設けられた２個の操作キーオンオフ部２０ｄ，２０ｈに対しては、それぞれ２つのゾーンにおける床暖房運転用の運転操作キー３１，４１（本願の第１の操作キーに相当）として定義し、同じく上側の２個の操作キーオンオフ部２０ｃ，２０ｇに対しては、それぞれ２つのゾーンにおけるタイマー運転操作用のタイマー運転操作キー３２，４２（本願の第１の操作キーに相当）として定義する設定がなされる。つまり、利用頻度の高い主操作キー（第１の操作キー）は、１回の押操作で所定の動作が実行される操作キーとして割付けられる設定としてある。なお、これら利用頻度の高い操作キーについてはいずれのゾーンにおける床暖房を操作するものかの判別をしやすくするため、左右両側（ゾーンと対応する側）に寄ったキー割付けを行うことがより好ましい。
【００２５】
残る、中央上側に配置される操作キーオンオフ部２０ｅは、各ゾーンにおいて共用されるタイマー設定操作キー３６（本願の第２の操作キーに相当）として定義し、さらに中央下側に配置される操作キーオンオフ部２０ｆは、時計操作キー３８（本願の第２の操作キーに相当）として定義する。このとき、タイマー設定操作キー３６を押操作すると、タイマー運転操作キー３２，４２がゾーン選択用のキーとして機能するようになるとともに、温度設定操作キー３０，４０が床温度を設定する調整キーとして機能するようになる。時計操作キー３８は、押操作することにより温度設定操作キー３０，４０が「時」や「分」を調整する調整キーとして機能するようになるための操作キーとして機能する。これにより、タイマー設定操作キー３６や時計操作キー３８は、主操作キー以外の操作キーが２以上の操作キーを押操作することで実行される操作キーとなる。つまり、タイマー設定操作キー３６や時計操作キー３８（第２の操作キー；利用頻度の低い操作キー）は、これらの操作キーを操作した後、他の所定の操作キーを併用することで、当該所定の操作キーに従来定義されていた機能とは異なる機能が実行されるようにするための操作キーとなる。
【００２６】
続いて、図２に示される「１チャンネル」用の操作機能の割付けを説明すると、「１チャンネル」の床暖房運転のときは、「２チャンネル」とは異なり、操作が必要となるのはダイニングルームβの１室だけである。このため「１チャンネル」の床暖房運転のときは、ダイニングルームβの床暖房運転をオンオフする運転操作や、同じく床温度を調整する温度設定操作や、同じくタイマー床暖房運転をオンオフするタイマー運転操作や、同じくタイマー時刻設定を行うタイマー設定操作や、現在時刻の調整を行うための時計操作などを行えるよう各操作キーオンオフ部に対する操作機能を定義すれば良い。
【００２７】
これら操作も「２チャンネル」のときと同様、運転操作や温度設定操作やタイマー運転は、利用頻度が高く、それ以外のタイマー設定操作や時計操作は、比較的利用頻度が低い。
「１チャンネル」における操作機能の割付けには、「２チャンネル」の割付けを共用したうえで、利用頻度を考慮した割付けが用いられている。
【００２８】
具体的には、図２に示されるように「１チャンネル」のときは、操作キー群Ａのうち、最も右側に配置される上下２個の操作キーオンオフ部２０ｉ、２０ｊを床温度調整用の温度設定操作キー５０（本願の第３の操作キーに相当）として定義し、操作キーオンオフ部２０ｊの内側の操作キーオンオフ部２０ｈを、床暖房運転用の運転操作キー５１（本願の第３の操作キーに相当）として定義し、同じく上側の操作キーオンオフ部２０ｇを、タイマー運転操作用のタイマー運転操作キー５２（本願の第３の操作キーに相当）として定義する。これで、利用頻度の高い主操作は、所定の操作キーの１押操作によって実行される操作キーとして定義される。
【００２９】
中央上側に配置される操作キーオンオフ部２０ｅは、タイマー設定操作キー５６（第４の操作キー）として定義し、さらに中央下側に配置される操作キーオンオフ部２０ｆは、時計操作キー５８（第４の操作キー）として定義する。このときタイマー設定操作キー５６は、押操作をすることでタイマー運転のオンオフを切り替えるとともに、最も左側に配置される上下２個の操作キーオンオフ部２０ａ，２０ｂが「時」を調整する時調整キー５７として機能するようになり、また、温度設定操作キー５０が「分」を調整する分調整キーとして機能するようになる。同様に、時計操作キー５８を押操作すると左側の操作キーオンオフ部２０ａ，２０ｂが「時」を調整する時調整キー５７として機能するようになり、温度設定操作キー５０が「分」を調整する分調整キーとして機能するようになる。つまり、「１チャンネル」の操作キーの割付けは、「２チャンネル」の操作キーの割付けから、片側の機能、ここではリビングルームαの操作機能を除いた割付けへ変更されるように定めてある。
【００３０】
こうした割付けにより、利用頻度の高い操作キーを、操作面部１７の右寄りの地点に割付け、他の比較的利用頻度の低い操作キーをその左側に配置させている。
そうすると、「２チャンネル」の製品のときは、選択スイッチ（図示しない）の選択操作によって、「２チャンネル」用のキー割付けの設定を選ぶことにより、「２チャンネル」用のコントローラ本体１３が構成できる。また「１チャンネル」の製品のときは、選択スイッチ（図示しない）の選択操作によって、「１チャンネル」用のキー割付けの設定を選ぶことにより、「１チャンネル」用のコントローラ本体１３が構成できる。
【００３１】
そして、「２チャンネル」用のコントローラ本体１３の操作面部１７上に、図３に示されるように、割付けされた各種操作キーの操作機能を表示した「２チャンネル」用の表面シート６０を貼り付ければ、図１に示されるように「２チャンネル」の床暖房運転の制御に求められる操作キーが操作面部１７上で明示され、良好な外観をもつ「２チャンネル」用の床暖房用のコントローラ装置３の製品ができあがる。
【００３２】
また「１チャンネル」用のコントローラ本体１３の操作面部１７上に、図３に示されるように、割付けされた各種操作キーの操作機能を表示した「１チャンネル」用の表面シート６２を貼り付ければ、図２に示されるように必要ない部分がブランク部として化粧されて、「１チャンネル」の床暖房運転の制御に求められる操作キーだけが明示され、同様に、良好な外観をもつ「１チャンネル」用の床暖房用のコントローラ装置６の製品ができあがる。
【００３３】
したがって、操作機能の割付けが変えられる操作キー群Ａを用いて、「２チャンネル」と「１チャンネル」とで操作機能の割付けを変える構造の採用により、大部分の部品を共通にしたまま、それぞれに適したコントローラ装置、すなわち「２チャンネル」用のコントローラ装置３、「１チャンネル」用のコントローラ装置６を構成することができる。特に「２チャンネル」用のキー割付けから「１チャンネル」用のキー割付けへの変更は、一方の操作機能の割付けを削除するだけでよいので（「２チャンネル」からの派生）、操作キー群Ａへの割付けも簡単であるうえ、確実である。しかも、操作機能の割付けは、利用頻度の高い操作が、所定の操作キーを押操作するだけの１アクションで行える割付けとしてあるので、利用頻度の多い日常の操作は「２チャンネル」でも「１チャンネル」でも、面倒な操作はなく扱いやすい。
【００３４】
それ故、コストの低減化と操作性の向上とを両立した各チャンネル用の製品、すなわち「２チャンネル」用のコントローラ装置３と、「１チャンネル」用のコントローラ装置６とを得ることができる。特に「１チャンネル」用や「２チャンネル」用の使い分けが要望される床暖房用のコントローラ装置３，６には有効である。しかも、「１チャンネル」用を考慮して、操作キー群Ａのうちの右寄りに配置されている操作キーを、特に利用頻度の高い制御を行う操作、例えば床温度調整の温度設定キーとして割付けると、一般に多い右利きの人に対応できるので、多くの利用者が扱いやすくなる。
【００３５】
そのうえ、操作面部１７に表面シート６０，６２を設けると、割付けた操作機能を利用者に明確に認識させたり、使用しなかった操作キーを隠せたりするので、さらに「２チャンネル」用や「１チャンネル」用のコントローラ装置３，６の操作性を高めることができる。
なお、本発明は上述した一実施形態に限定されるものではなく、本発明の主旨を逸脱しない範囲内で種々変更して実施しても構わない。例えば一実施形態の１チャンネルのコントローラ装置では、操作面部の右寄りに配置されている操作キーに、運転操作、温度設定操作、タイマー運転操作の全てが割付けられる例を挙げたが、これに限らず、運転操作、温度設定装置、タイマー運転操作のうちの少なくとも１つの操作を割付けてもよい。また一実施形態では、制御回路部に予め「２チャンネル」用の操作機能の割付けと「１チャンネル」用の操作機能の割付けとの設定を格納しておき、どちらかを選択して、操作キーの割付けを変える構造を用いたが、これに限らず、例えば制御回路部に設けた通信部を通じて、「２チャンネル」用の操作キーの割付け、あるいは「１チャンネル」用の操作キー割付けの設定を入力させて、「２チャンネル」、「１チャンネル」のどちらかの操作機能の割付けとするよう構成してもよく、また、操作機能の割付けの変更の仕方は上述したような選択スイッチによるものでなくとも、どのような構造でもよい。また、１つのヒータケーブルから接続されるパネルヒータは１つに限らず、例えば１つのゾーンにおいて小型のパネルヒータを複数設置し、１つのヒータケーブルに対し当該複数のパネルヒータを接続するよう構成しても良い。
【図面の簡単な説明】
【００３６】
【図１】本発明の第１の実施形態に係る「２チャンネル」用のコントローラ装置を、床暖房装置部と共に示す斜視図。
【図２】同じく「１チャンネル」用のコントローラ装置を、床暖房装置部と共に示す斜視図。
【図３】「２チャンネル」用のコントローラ装置と、「１チャンネル」用のコントローラ装置が、多くの共通部品で構成されることを説明するための分解斜視図。
【符号の説明】
【００３７】
２ａ，２ｂ  パネルヒータ
３  ２チャンネル用の床暖房用コントローラ装置
６  １チャンネル用の床暖房用コントローラ装置
１３  コントローラ本体
１７  操作面部
３０，３１，３２，４０，４１，４２  温度設定操作キー，運転操作キー，タイマー運転操作キー（第１の操作キー）
３６，３８  タイマー設定操作キー，時計操作キー（第２の操作キー）
５０，５１，５２  温度設定操作キー，運転操作キー，タイマー運転操作キー（第３の操作キー）
Ａ  操作キー群
【図１】
0005090189.tif 000002
【図２】
0005090189.tif 000003
【図３】
0005090189.tif 000004